(57)【要約】  【課題】  床板材と床板材間の幅方向構造変形がない傾斜クリック結合が可能であり、長さ方向は水平クリック結合が可能な、遮音性補強床施工用改良床板材を提供する。  【解決手段】  円弧形及び傾斜延長ホームを有する側収容部及びクリック結着が可能な端挿入部及び端収容部構造を採択すると共に、復元性を有する発泡性ホットメルト粘着剤を適用して、従来から問題点として指摘されてきた床板材長さ方向組み立て時の底面の凹凸による床板材間の段発生問題及び幅方向傾斜施工による構造変形または破損を防止することができ、階層間の騷音伝達を最小化する。  【選択図】  図３
2006132310.tif 000002
【特許請求の範囲】
【請求項１】
一側端に形成された側方突起を有する側挿入部と、他の一側端に形成された側下方ホームを有する側収容部；
一端に外側に突出形成されて下面に下向き突出した端下方突起を有する端挿入部と、他の一端の中央部で内側に凹入形成されて下面に下向き湾入形成された端下方ホームを有して上記端挿入部と対をなす端収容部；及び裏面に付着したホットメルト粘着剤とで構成された床施工用床板材。
【請求項２】
上記端下方突起が、所定挿入角をなすように下方に傾斜して、所定係止角をなすように上方に傾斜して形成されることを特徴とする、請求項１に記載の床施工用床板材。
【請求項３】
上記所定挿入角が、平行面に対して１０度〜２０度であり、上記所定係止角が平行面に対して４０度〜５０度であることを特徴とする、請求項１に記載の床施工用床板材。
【請求項４】
上記端下方ホームから外側に延長されて上向きに突出形成されて平行面に対して約３０度の所定誘導角を有する端上方突起をさらに含むことを特徴をする、請求項１に記載の床施工用床板材。
【請求項５】
上記側下方ホームが、側収容ホーム内側で円弧形で下向き湾入形成されて一点から上向き傾斜延長されたことを特徴とする、請求項１に記載の床施工用床板材。
【発明の詳細な説明】
【技術分野】
【０００１】
本発明は、床施工用改良床板材に関するものである。より詳細には、隣接床板材との円滑な幅方向結着施工が可能であり、長さ方向水平クリック結合方式によって施工作業性が改善された、遮音性を有する補強オンドル床施工用改良床板材に関するのである。
【背景技術】
【０００２】
通常、側方（ｅｄｇｅ）にデコ（凸）形状の突出部（ｔｏｎｇｕｅ）及びボコ（凹）形状のホーム（ｇｒｏｏｖｅ）を形成して組み立て施工することが可能な床板材が、多く使用されている。これらの床板材は、設置が非常に容易であり、普通の技術者による設置が可能であった。該床板材は、ラッカー等の表面層またはラミネート板等で構成されるのが一般的である。本発明者が開示した特許文献１（オンドル用を含む床施工用床板材）によれば、単位原板を使用して製造される床施工用床板材において、長さ方向と平行な一側端に側挿入部と他の一側端に側収容部が形成され；幅方向と平行な一端に端挿入部と他の一端に端収容部が形成されて；裏面に合成ゴム系ホットメルト粘着剤が塗布されて、この粘着体上に剥離紙を付着して形成され；施工時に上記側挿入部を先に施工された隣接床板材に形成された上記側収容部に結合すると同時に、一端に具備された上記端突出部が先に施工された隣接床板材に具備された上記端凹ホーム部に結合される。また、裏面に付着したホットメルト粘着剤が同時に底面と接着されるオンドル用を含む床施工用床板材が開示されている。本発明は、特許文献１と連関している。また、特許文献２（垂直方向につながれるボード形状床構成要素からなる床材料）によれば、主に正４角形、４角形または正菱形形状の床板からなる床材料（ｆｌｏｏｒｉｎｇ  ｍａｔｅｒｉａｌ）として、床板材はエッジ、水平方向下部面及び水平方向上部飾り面で構成されていて、上記床板は２方の隣接エッジに下部連結リップ（ｌｉｐ）を備え、残り２方のエッジには上部連結リップを備えていることを特徴にしている。一方、下部連結リップは最も隣接したエッジに平行に配置された主に垂直方向下部リップ面からなり、下部リップ面は上部連結リップに配置された主に垂直方向上部リップ面と相互作用するように構成されている。それによって、２枚の連結隣接床板は水平方向に一緒にロッキングされる。また、連結リップは主に水平方向ロッキング面で構成されているので、２枚の連結隣接床板間の垂直方向の運動を制限するリセス（ｒｅｃｅｓｓ）とスナップ連結されるようになっている１個または数個のヒール（ｈｅｅｌｓ）からなる床材料を開示している。
【０００３】
しかし、上記幅方向クリック構造を公開した引用発明は、基本床材料と隣接床材料を幅方向に結着施工する時、突起及びホーム形状の構造的問題点、すなわち角形状による物理的摩擦を避けることができなくて幅方向結着施工時に突起またはホーム変形が発生し得るため、組立て施工作業性が著しく低いのみならず、長さ方向結着施工時に応用されるフック（ｈｏｏｋ）結着方式は、凹凸床面を対象に施工する場合、床面の凹凸による床板材間の段差が発生する等の問題点があった。また、床板材裏面ホットメルト粘着剤は、震動及び騷音を充分に吸収することができず、遮音性が不足している等の短所が指摘されていた。
【０００４】
したがって、本発明者は、基本床材料及び隣接床材料の結合施工時に円滑な装着が可能になるように多様な側方及び端構造の変形を試みた結果、本発明の完成した。
【０００５】
【特許文献１】韓国特許第３９４９６８号
【０００６】
【特許文献２】韓国公開公報第２００１−１０１８２７号
【発明の開示】
【発明が解決しようとする課題】
【０００７】
本発明は、前記のような従来の施工上の問題点を解消するために考案されたものである。本発明の目的は、基礎板になる合板、原木、高密度繊維板（Ｈｉｇｈ  ｄｅｎｓｉｔｙ  Ｆｉｂｅｒ  ｂｏａｒｄ）またはパーティクルボード（Ｐａｒｔｉｃｌｅ  ｂｏａｒｄ）上に柄目、ＨＰＭまたはＬＰＭを付着させた原板を使って製造し、熱的物性を考慮してオンドル用に適合するように復元性を改善した発泡性合成ゴム系または発泡性ポリプロピレン系ホットメルト粘着剤を床板材の裏面に付着させ、その上に接着性能維持のための剥離紙を付着して、長さ方向に平行な一側面に内側で円弧形下向き湾入形成されて一点から上向きに傾いた下方ホームを有する側収容部を形成し、幅方向に平行な両端面にクリック結着が可能な端挿入部及び端収容部を形成し、床板材と床板材間を追加的な接着剤の使用なしに施工が可能で、床板と床板間の寸法変化を安定化させて木材の根本的な短所である寸法安定性を改善して、コンクリート底との施工性と部分的補修及び再施工の容易性を付与して、遮音性と吸音性を備えた材料的特徴によって騷音低減にも有利なオンドル用を含む床施工用床板材を提供することである。特に、床板材と床板材間の幅方向構造変形がない傾斜クリック結合が可能であり、長さ方向は水平クリック結合が可能な、遮音性補強床施工用改良床板材を開示することである。
【発明を解決するための手段】
【０００８】
上記目的を果たすために本発明は、合板、原木、高密度繊維版またはパターンパーティクルボードを基礎板にして、この基礎板の上下部に柄目、高圧メラミン積層板（ＨＰＭ）または低圧メラミン積層板（ＬＰＭ）を冷または熱プレス加工を通じて一体構造に製造された原板を所定の長さと幅に裁断して形成される単位原板を使って製造される床施工用床板材において、長さ方向と平行な一側端に側挿入部と他側端に内側で円弧形下向き湾入形成されて一点から上向きに傾いた下方ホームを有する側収容部を有し、幅方向と平行な一端に下方突起を有する端挿入部と他端に上記下方突起とロッキングされる下方ホームを有する端収容部を形成する。さらに、裏面に発泡性合成ゴム系ホットメルト粘着剤を塗布して、該粘着体上に剥離紙を付着させて形成して、施工時に上記側挿入部を先に施工された隣接床板材に形成された上記側収容部に傾斜させて結合すると同時に、一端に具備された上記端挿入部が端収容部に水平クリック結合される。また、裏面に付着したホットメルト粘着剤が同時に底面と接着されるオンドル用を含む床施工用床板材を提供する。
【０００９】
本発明において「長さ方向」というのは、直四角形床板材において、長軸方向と定義し、「幅方向」というのは、短軸方向を意味する。また、「両側面」または「両側端」というのは、床板材長軸方向と平行な両面を定義し、「両端面」または「両端」というのは、短軸方向と平行な両面を意味する。一方、正四角形床板材に適用する場合、本発明で言及する「長さ方向」または「幅方向」は、相互に直角をなす両面から選択されたいずれかの片面方向と定義する。
【００１０】
上記の構造に形成した本発明の床板材において、両側面に形成される側挿入部と側収容部は、連続して施工される床板材と床板材を幅方向で円滑に固定させると同時に裏面に付着したホットメルト粘着剤が底面と接着するようにし、床板材間の密着施工を容易にする役目をする。また、床板材の両端断面に形成した端挿入部と端収容部は、床板材と床板材を長さ方向でクリック固定する役目をする。また、合成ゴムを主成分とする発泡性ホットメルト粘着剤は、人体に無害な無溶剤形粘着剤であり、この粘着剤の役目は少し荒い表面をしたコンクリート底と板状の床板材を接着固定して、木材からなる床板材が住居環境の加熱条件及び水分含有量の変化によって収縮したり膨脹したりして木材に発生し得るいかなる変形に対しても適応することができる役目を果たす。合わせて、発泡性合成ゴム系ホットメルト粘着剤層が歩行時の床の衝撃伝達音を吸収または遮断して、吸音性及び遮音性を改善するようになる。
【発明を実施するための形態】
【００１１】
以下、本発明の好ましい実施例を添付した図面に基づいてさらに詳細に説明する。
【００１２】
図１は、本発明による床板材幅方向断面図であり、図２は、図１の実施例による床板材の施工方法を例示した図である。図３は、本発明による床板材の長さ方向断面図で、図４は図３の実施例による床板材の施工方法を例示した図である。
【実施例１】
【００１３】
本発明の長さ方向と平行な両側面に形成する側挿入部及び側収容部の好ましい実施例として、図１に図示したように、一側面中央部で側方に突出形成されるもので、端を円弧形に湾曲させて形成された側方突起７と、上記側方突起７の下面に形成され下向きに突出した側下方突起９と、この側下方突起９の内側に連続して上向きに湾入形成された側上方ホーム１１からなる上記側挿入部１５。他の一側面の中央部で側方に凹入形成されるもので、内側端に円弧形の基底部が形成された側水平ホーム２１と、該側水平ホーム２１の下面が終わる地点から連続して下向き傾斜して一点から円弧形に下向き湾入形成される側下方ホーム２３と、該側下方ホーム２３の外側に延長されて上向きに突出形成された側上方突起２５からなり、上記側挿入部１５と対をなす側収容部３０で構成される。
【００１４】
上記側下方ホーム２３は、側上方突起２５から側収容ホーム２１の内側に下向き湾入形成される円弧形ホームの一点から側収容ホーム２１内側に上向き傾斜延長される。詳細には、円周接線直角仮想線２８と水平仮想線との形成角が傾斜初期角２６になる一点で、傾斜維持角２７を維持しながら側収容ホーム２１内側に延長される。上記傾斜初期角２６は、５５度〜６５度で、好ましくは６０度であり、上記傾斜維持角２７は、２５度〜３５度であり、好ましくは３０度である。したがって、これと結着させる側方突起９との結合施工の時、従来の相互角形状による摩擦を避けることができ、円滑な結着が可能であるため施工作業性が向上して、特に側方突起９の破損を防止することができる。
【実施例２】
【００１５】
本発明の幅方向と平行な両端面に形成する端挿入部及び端収容部の好ましい実施例として、図３に図示したように、一端面の中央部で外側に突出形成されて下面に下向き突出した端下方突起１１９を有する端挿入部９０と、他の一端面中央部で内側に凹入形成されて内側下面に下向き湾入形成される端下方ホーム１２３を有し、上記端挿入部９０と対をなす端収容部１３０で構成される。一方、床板材裏面には、発泡性合成ゴム系ホットメルト粘着剤５０と、該粘着剤５０上に付着させて粘着剤の硬化を防止する剥離紙（図示されない）が含まれる。上記端挿入部９０は、床板材の一端面中央部で外側に水平突出形成される水平上面部１１０；該水平上面部１１０の一地点から垂直形成された垂直断面部１１１；該垂直断面部１１１から延長されて所定挿入角１２０を成すように下方傾斜し、さらに所定係止角１２１を成すように上方傾斜して形成された端下方突起１１９で構成される。上記所定挿入角１２０は、水平上面部と水平対面部と平行な面を基準に１０度〜２０度に形成することができるが、１６度であることが好ましい。上記所定係止角１２１は、水平上面部と平行な面を基準に４０度〜５０度に形成することができるが、４５度であることが好ましい。上記所定挿入角１２０及び所定係止角１２１を有する端下方突起１１９は、隣接した他の床板材一端面中央部内側に形成された端収容部１３０内に形成された端下方ホーム１２３にロッキングすることができる。一方、他の一端面中央部で内側に凹入形成される端収容部１３０は、水平内面部１４９；該水平内面部１４９の一地点から垂直形成された垂直内面部１５０；該垂直内面部１５０から外側に延長されて、他の床板材に形成された端下方突起１１９と結着されるように収容部下面に下向き湾入形成される端下方ホーム１２３を有し、該端下方ホーム１２３から外側に延長されて上向きに突出形成された端上方突起１２５を含んで構成される。上記端上方突起１２５の内側は所定係止角１２１と等しい角に形成され、外側は所定誘導角１６０になるように形成する。該所定誘導角１６０は、水平内面部と平行な面を基準に３０度であることが好ましい。上記所定誘導角１６０は、隣接床板材端挿入部９０が端収容部１３０内に誘導される時、端上方突起１２５との物理的衝撃及び摩擦を緩和して円滑なロッキングが可能である。
【００１６】
本実施例による床板材の長さ方向施工は、図４に図示したように、傾斜施工ではなく水平結着施工が可能である。床板材の端挿入部９０の垂直断面部１１１を先に施工された隣接床板材に具備されている上記端収容部１３０に向けて水平接近させると、垂直断面部１１１下端は端上方突起１２５の外側と一時的に衝突するが、上記端上方突起外側に形成された所定誘導角１６０の緩やかな傾斜及び端上方突起１２５が有する弾性によって衝撃が緩和されて端挿入部９０を端収容部１３０に円滑に挿入することができる。結局、端挿入部９０の水平上面部１１０と端収容部１３０の水平内面部１４９；端挿入部垂直断面部１１１と端収容部垂直内面部１５０は面接して、端挿入部の端下方突起１１９は端収容部の端下方ホーム１２３に安着して、端上方突起１２５の係止により端挿入部は端収容部と結着を維持することができる。
【００１７】
また、上記端挿入部９０を先に施工された隣接床板材に形成されている上記端収容部１３０に挿入することによって、図２に図示したように、側挿入部１５の一側端を先に施工された隣接床板材に具備されている上記側収容部３０の一側端と突き合わせて、この接線を軸に回転させて施工することにより、上記側挿入部１５の側方突起７は、先に施工されていて隣接することになる床板材に形成されている上記側収容部３０の側水平ホーム２１に、側下方突起９は側収容部３０の円弧形及び傾斜延長形成された側下方ホーム２３に、側上方ホーム１１には側収容部３０の側上方突起２５がそれぞれ挿入されてつながる。一方、裏面に付着されたホットメルト粘着剤５０が、上記側挿入部１５が先に施工された隣接床板材に具備されている側収容部３０に挿入されると同時に、底面と接着されて施工が完成する。
【００１８】
本発明は、上記のように具体的で好ましい実施例に対してのみ詳しく説明したが、本発明の技術的思想の範囲内で変形や変更が可能であることは、本発明が属する分野の当業者には明白なことであり、そのような変形や変更は本発明の特許請求範囲に属するものである。
【産業上の利用可能性】
【００１９】
本発明による床板材は、円弧形ホームを有する側収容部及びクリック結着が可能な端挿入部及び端収容部構造を採択すると共に、復元性を有する発泡性ホットメルト粘着剤を適用して、従来問題点として指摘されてきた床板材長さ方向組み立ての時、床面の凹凸による床板材間段発生の問題及び幅方向傾斜施工による構造変形または破損を防止することができ、階層間騷音伝達を最小化できる効果がある。
【図面の簡単な説明】
【００２０】
【図１】本発明による床板材幅方向断面図である。
【図２】図１の実施例による床板材の施工方法を図示したものである。
【図３】本発明による床板材長さ方向断面図である。
【図４】図３の実施例による床板材の施工方法を図示したものである。
【符号の説明】
【００２１】
７：側方突起
９：側下方突起
１１：側上方ホーム
１５：側挿入部
２１：側水平ホーム
２３：側下方ホーム
２５：側上方突起
２６：傾斜初期角
２７：傾斜維持角
２８：円周接線直角仮想線
３０：側収容部
５０：ホットメルト粘着剤
９０：端挿入部
１１０：水平上面部
１１１：垂直断面部
１１９：端下方突起
１２０：所定挿入角
１２１：所定係止角
１２３：端下方ホーム
１２５：端上方突起
１３０：端収容部
１５０：垂直内面部
１６０：所定誘導角
【図１】
2006132310.tif 000003
【図２】
2006132310.tif 000004
【図３】
2006132310.tif 000005
【図４】
2006132310.tif 000006